(57)【要約】【課題】ワイヤーハーネス等の線条材をシートパッドに抜けにくいように取り付ける。【解決手段】ワイヤーハーネスＷＨ等の線条材を乗物用シート１に取り付けるための構造であって、ワイヤーハーネスＷＨが乗物用シート１のシートパッド（クッションパッド３Ｐ）に結合されたプレート材１０に取り付けられるようになっている。【選択図】図１
2014113969.tif 000002
【特許請求の範囲】
【請求項１】
ワイヤーハーネス等の線条材を乗物用シートに取り付けるための線条材の乗物用シートへの取付構造であって、
前記線条材が前記乗物用シートのシートパッドに結合されたプレート材に取り付けられるようになっていることを特徴とする線条材の乗物用シートへの取付構造。
【請求項２】
請求項１に記載の線条材の乗物用シートへの取付構造であって、
前記シートパッドに面状材が一体的に積層された状態に結合されており、
前記プレート材が前記面状材に結合されることで前記シートパッドに結合されていることを特徴とする線条材の乗物用シートへの取付構造。
【請求項３】
請求項２に記載の線条材の乗物用シートへの取付構造であって、
前記プレート材が、前記面状材に対してその端部近傍が結合されて片持ち状に支持された状態として設けられていることを特徴とする線条材の乗物用シートへの取付構造。
【請求項４】
請求項１から請求項３のいずれかに記載の線条材の乗物用シートへの取付構造であって、
前記線条材が、該線条材を結束可能な結束部と前記プレート材に差し込みによって結合可能な差込み式の結合部とを備えたクリップを介して前記プレート材に取り付けられるようになっていることを特徴とする線条材の乗物用シートへの取付構造。
【発明の詳細な説明】
【技術分野】
【０００１】
本発明は、線条材の乗物用シートへの取付構造に関する。詳しくは、ワイヤーハーネス等の線条材を乗物用シートに取り付けるための線条材の乗物用シートへの取付構造に関する。
【背景技術】
【０００２】
従来、車両用シートにおいて、ワイヤハーネスがクリップによって位置固定された状態に取り付けられたものが知られている（特許文献１）。具体的には、上記ワイヤハーネスは、その所々の箇所にクリップが結合されており、各クリップをシートバックのパッドに差し込むことによってシートバックに位置固定された状態に取り付けられた状態とされている。
【先行技術文献】
【特許文献】
【０００３】
【特許文献１】実開平２−４９６５０号公報
【発明の概要】
【発明が解決しようとする課題】
【０００４】
しかし、上記従来技術では、シートバックにかけられる着座乗員の背凭れ荷重により、パッドが撓んでクリップが抜けてしまうおそれがある。本発明は、上記問題を解決するものとして創案されたものであって、本発明が解決しようとする課題は、ワイヤーハーネス等の線条材をシートパッドに抜けにくいように取り付けることにある。
【課題を解決するための手段】
【０００５】
上記課題を解決するために、本発明の線条材の乗物用シートへの取付構造は次の手段をとる。
第１の発明は、ワイヤーハーネス等の線条材を乗物用シートに取り付けるための線条材の乗物用シートへの取付構造であって、線条材が乗物用シートのシートパッドに結合されたプレート材に取り付けられるようになっているものである。
【０００６】
この第１の発明によれば、線条材をシートパッドに結合して設けたプレート材に取り付けるようにしたことにより、シートパッドが撓んでも、シートパッドにプレート材が結合された状態に維持されることで、同プレート材を介して線条材がシートパッドに取り付けられた状態に維持されやすくなる。このように、線条材をシートパッドに抜けにくいように取り付けることができる。
【０００７】
第２の発明は、上述した第１の発明において、シートパッドに面状材が一体的に積層された状態に結合されており、プレート材が上記面状材に結合されることでシートパッドに結合された構成となっているものである。
【０００８】
この第２の発明によれば、プレート材をシートパッドに結合された面状材に結合して設けるようにすることで、プレート材をシートパッドの構成面に沿った形に強く結合した状態にして設けることができる。
【０００９】
第３の発明は、上述した第２の発明において、プレート材が上記面状材に対してその端部近傍が結合されて片持ち状に支持された状態として設けられているものである。
【００１０】
この第３の発明によれば、プレート材を面状材に対して片持ち状に結合して設けることにより、プレート材自体が撓みやすくなる他、プレート材を支えている面状材がプレート材から曲げの負荷を受けやすくなって撓みやすくなる。したがって、線条材をシートパッドに対して位置ずれを吸収させやすいフレキシブルな状態に取り付けることができる。
【００１１】
第４の発明は、上述した第１から第３のいずれかの発明において、線条材が、線条材を結束可能な結束部とプレート材に差し込みによって結合可能な差込み式の結合部とを備えたクリップを介してプレート材に取り付けられるようになっているものである。
【００１２】
この第４の発明によれば、線条材がプレート材に対して差し込みによって結合可能なクリップを介して取り付けられるようになっていることにより、線条材をプレート材に対してより簡便かつ抜けにくい状態に取り付けることができる。
【図面の簡単な説明】
【００１３】
【図１】実施例１の乗物用シートの概略構成を表した斜視図である。
【図２】シートクッションを裏側から見た斜視図である。
【図３】ワイヤーハーネスをプレート材に取り付ける前の状態を表した斜視図である。
【図４】図２のIV-IV線断面図である。
【図５】図３のV-V線断面図である。
【発明を実施するための形態】
【００１４】
以下に、本発明を実施するための形態について、図面を用いて説明する。
【実施例１】
【００１５】
始めに、実施例１の「線条材の乗物用シートへの取付構造（以下、「取付構造」とする。）」について、図１〜図５を用いて説明する。本実施例の取付構造は、図１に示すように、自動車の運転席として構成されたシート１のシートクッション３の裏側（下側）を通って配索されているワイヤーハーネスＷＨを、シートクッション３のクッション材であるクッションパッド３Ｐの裏面に位置固定した状態に取り付けるための取付構造である。ここで、上述したワイヤーハーネスＷＨが、本発明の「線条材」に相当する。上述したワイヤーハーネスＷＨは、シートクッション３の内部に配設された図示しないシートヒータ等の電気機器用の配線として設けられているものである。
【００１６】
ここで、上述したシート１は、着座乗員の背凭れとなるシートバック２と、着座部となるシートクッション３と、を備えて構成されている。シートクッション３は、その内部骨格を成す図示しない枠状のクッションフレームと、クッションフレームの上部にセットされて着座乗員の荷重を弾性的に柔らかく受け止める発泡ウレタン製のクッションパッド３Ｐと、クッションパッド３Ｐの表面全体を覆う布製のクッションカバー３Ｃと、を有して構成されている。ここで、クッションパッド３Ｐが、本発明の「シートパッド」に相当する。
【００１７】
上述したクッションパッド３Ｐは、図２〜図３に示すように、その裏面（図示上方側の面）に、不織布等の面状材から成る裏面材３Ｐ１が、発泡成形時の一体成形によって一体的に積層された状態に結合されて設けられている。ここで、裏面材３Ｐ１が、本発明の「面状材」に相当する。上記裏面材３Ｐ１は、クッションパッド３Ｐの裏面全域を覆うように広く設けられており、クッションパッド３Ｐの裏面部の面内方向の張力を高めて、着座乗員の荷重を面内方向に広く分散させて受け止められるようにする補強材として機能するものとなっている。
【００１８】
そして、上述したクッションパッド３Ｐの中央の裏面部（図示上側の面部）には、上述したワイヤーハーネスＷＨを取り付けるための取付部材となる樹脂製のプレート材１０が一体的に結合された状態に設けられている。上記プレート材１０は、クッションパッド３Ｐよりは硬いが、作業者が指で力を加えて押し撓ませることができる程度の可撓性を備えた矩形状の形をした板材として構成されている。上記プレート材１０は、その後縁側の一辺に近い後端部近傍の箇所が、同辺に沿って上述した裏面材３Ｐ１に共縫いされて結合されており（縫合部１０Ａ）、この縫合部１０Ａを支点に裏面材３Ｐ１に対して片持ち状に支持された状態に設けられた状態とされている。
【００１９】
これにより、上記プレート材１０は、図３〜図４に示すように、その自由状態時には、上述した縫合に伴う結合力によって、裏面材３Ｐ１に面合わせされた状態に保持されるように配設された状態とされている。上記プレート材１０は、上記裏面材３Ｐ１に面合わせされた初期の配設状態から、作業者がプレート材１０の自由端側（前端側）に指を掛け入れてプレート材１０を起こし上げるように力を加えることにより、上記裏面材３Ｐ１との縫合部１０Ａを支点に押し撓まされるように変形するようになっている。
【００２０】
また、上記プレート材１０は、上記の起し上げられる方向の力が加えられることにより、同プレート材１０を片持ち状に支える裏面材３Ｐ１の縫合部１０Ａの近傍部位に強い曲げの負荷が掛けられやすくなっていることから、裏面材３Ｐ１を撓ませる態様でも起こし上げられやすくなっている。
【００２１】
上述したプレート材１０には、前後方向に長尺な形の２個の長孔１１が形成されている。これら長孔１１は、互いにシート幅方向に間隔を空けて並んで設けられており、それぞれ、後述するワイヤーハーネスＷＨに結合された状態として設けられる２個のクリップ２０が裏面側（図示上方側）から差し込まれて装着される部位となっている（図２参照）。これらクリップ２０の装着によって、ワイヤーハーネスＷＨがプレート材１０を介して、その配索された途中の２箇所の部位がクッションパッド３Ｐの裏面部に位置決めされた状態に取り付けられるようになっている。
【００２２】
上述した各クリップ２０は、図３に示すように、それぞれ、樹脂の一体成形により形成されており、上述したワイヤーハーネスＷＨを結束させて保持することのできる開閉操作式の結束片２１Ａを備えた結束部２１と、上述したプレート材１０に形成された各長孔１１内への差し込みによりプレート材１０に対して抜け止めされた状態に結合される結合部２２と、を備えた構成となっている。
【００２３】
各結束部２１は、それぞれ、上述した各結束片２１Ａがインテグラルヒンジを中心とした回転による開閉操作が行える構成とされており、各結束片２１Ａを開くことでワイヤーハーネスＷＨを受け入れられる状態となり、ワイヤーハーネスＷＨを受け入れてから各結束片２１Ａを閉じることにより、各結束片２１Ａが閉じられた状態に掛着されてワイヤーハーネスＷＨを内部に閉じ込めた状態に結束することのできる構成となっている。
【００２４】
各結合部２２は、上述した各長孔１１の形と合致する楕円形の寸胴な筒型形状に形成されており、各長孔１１内への差し込みにより弾性変形して各長孔１１の周縁部に係合する係合爪２２Ａと、これら係合爪２２Ａを各長孔１１の周縁部に係合させた状態に保持するスタビライザー２２Ｂと、を有する構成となっている。
【００２５】
前者の係合爪２２Ａは、図４〜図５に示すように、各結合部２２の外周面上の短手方向の２箇所の位置に対向配置されており、それぞれ、径方向の外側に張り出す形となって形成されている。これら係合爪２２Ａは、それぞれ、一部に切欠きが入れられることで、径方向の内側に弾性的に窄み変形することができるように構成されている。
【００２６】
後者のスタビライザー２２Ｂは、各結合部２２の根本側の端部から径方向の外側に先端側に向かって斜めに傘状に開くように張り出す形に形成されている。これらスタビライザー２２Ｂは、各結合部２２をプレート材１０の各長孔１１内に所定位置まで差し込むことによってプレート材１０の板面に当たり、そこから更に各結合部２２を中に押し込む操作によって押し撓まされて、差し込み方向とは反対側への弾発力をかける構成となっている。
【００２７】
上述した各結合部２２は、上述した各長孔１１内に差し込まれることにより、それらの外周面上から張り出す上述した各係合爪２２Ａが各長孔１１の形状によって弾性的に押し窄められていきながら、各スタビライザー２２Ｂが各プレート材１０の板面に押し当てられて弾性的に押し撓まされていく。そして、各結合部２２は、上述した各係合爪２２Ａが各長孔１１を通り越える位置まで差し込まれることにより、各係合爪２２Ａがそれらの復元力により各長孔１１よりも径方向の外側に開くように張り出した状態となり、各長孔１１から抜けない状態に係合した状態となる。これにより、各結合部２２は、各スタビライザー２２Ｂによって発揮される弾発力の作用により、プレート材１０に対して差し込む方向にも抜き出す方向にもガタ付かないように位置決めされた状態に結合された状態となる。
【００２８】
また、各結合部２２は、上述したプレート材１０を各スタビライザー２２Ｂと各係合爪２２Ａとによって弾性的に押し挟んだ状態に保持する構成であるため、プレート材１０に対して径方向（プレート材１０の面内方向）にもガタ付かない状態に押さえ込まれた状態となる。また、各結合部２２は、各長孔１１の形状と合致する楕円形の寸胴な筒型形状とされていることにより、各長孔１１内で回転止めもされた状態に保持されるようになっている。図４に示すように、上述した各クリップ２０がプレート材１０の各長孔１１内に差し込まれて装着されることにより、各クリップ２０の結合部２２がプレート材１０とクッションパッド３Ｐとの間に張り出した状態となり、プレート材１０に対してクッションパッド３Ｐの裏面部から起こし上げられる方向の力がかけられるが、このような力に対して、プレート材１０は、前述したように柔軟に起こし上げられる方向に撓み変形することができるようになっており、クリップ２０やクッションパッド３Ｐに無理な負荷がかからないようになっている。
【００２９】
上述したワイヤーハーネスＷＨは、図１〜図３に示すように、そのプレート材１０に取り付けられる箇所がＵ字状に曲げ撓まされた状態とされて、その曲げ撓まされた２箇所の部位にクリップ２０が装着されて、曲げ撓まされた姿勢状態でプレート材１０に取り付けられるようになっている。これにより、曲げ撓まされたワイヤーハーネスＷＨによって発揮される弾発力の作用により、各クリップ２０とプレート材１０の各長孔１１との係合部位に、これらを径方向（プレート材１０の面内方向）に押し寄せる力がかけられた状態に保持されるようになっており、各クリップ２０が各長孔１１に対して押し付けられた状態として、よりガタ付きのない状態に係合されるようになっている。したがって、ワイヤーハーネスＷＨのプレート材１０への取り付け状態もより安定させることができる。
【００３０】
このように、本実施例の取付構造では、ワイヤーハーネスＷＨをクッションパッド３Ｐに結合して設けたプレート材１０に取り付けるようにしたことにより、着座荷重によってクッションパッド３Ｐが撓んでも、クッションパッド３Ｐにプレート材１０が結合された状態に維持されることで、同プレート材１０を介してワイヤーハーネスＷＨがクッションパッド３Ｐに取り付けられた状態に維持されやすくなる。したがって、ワイヤーハーネスＷＨをクッションパッド３Ｐに抜けにくいように取り付けることができる。
【００３１】
また、プレート材１０をクッションパッド３Ｐの裏面に結合された裏面材３Ｐ１に結合して設けるようにしたことで、プレート材１０をクッションパッド３Ｐの裏面からの張り出しの少ない裏面に沿った形に強く結合した状態にして設けることができる。また、プレート材１０を裏面材３Ｐ１に対して片持ち状に結合して設けることにより、プレート材１０自体が撓みやすくなる他、プレート材１０を支えている裏面材３Ｐ１がプレート材１０から曲げの負荷を受けやすくなって撓みやすくなる。したがって、ワイヤーハーネスＷＨをクッションパッド３Ｐに対して位置ずれを吸収させやすいフレキシブルな状態に取り付けることができる。
【００３２】
また、ワイヤーハーネスＷＨがプレート材１０に対して差し込みによって結合可能なクリップ２０を介して取り付けられるようになっていることにより、ワイヤーハーネスＷＨをプレート材１０に対してより簡便かつ抜けにくい状態に取り付けることができる。
【００３３】
以上、本発明の実施形態を１つの実施例を用いて説明したが、本発明は上記実施例のほか各種の形態で実施することができるものである。例えば、本発明が対象とする「乗物用シート」は、自動車の運転席以外のシートの他、鉄道等の自動車以外の車両に適用されるシートであってもよく、また、航空機、船舶等の様々な乗物用に供されるシートに広く適用することができるものである。
【００３４】
また、本発明の「シートパッド」は、乗物用シートのシートバック、シートクッション、ヘッドレスト等のシートを構成するパーツのパッドであればどのパーツのパッドであっても構わない。また、本発明の「面状材」は、シートパッドに一体的に積層された状態に結合されるものであればよく、シートパッドの側面や裏面等、シートパッドのどの構成面に積層されて結合されるものであってもよい。また、「面状材」は、上記シートパッドの構成面の一部に部分的に設けられるものであってもよい。また、「面状材」は、シートパッドの補強材として機能する目的で設けられるものの他、シートパッドをシートフレームとの擦れから保護する保護材や異音防止材など、様々な目的で設けられるものであってもよい。
【００３５】
また、「プレート材」は、シートパッドよりも柔らかいものや可撓性がほとんどない剛体から成るものであってもよい。また、「プレート材」の形は、特に限定されるものではなく、円形や三角形等の種々の形を採用することができる。また、「プレート材」を、上記「面状材」に結合するのではなく、シートパッドに一部を埋設するなどして直接結合するようにしてもよい。また、「プレート材」は、シートパッドの面内方向に沿うように設けられるものでなくてもよく、シートパッドから真っ直ぐ張り出すように設けられるものであってもよい。
【００３６】
また、「線条材」は、ワイヤーハーネスの他、シートパッドの近傍を通って配索される様々な種類のケーブルやワイヤー等の線条材であってもよい。また、「線条材」は、クリップを用いることなくプレート材に直接取り付けられるようになっていてもよい。具体的には、例えば、プレート材に線条材を係合させることのできる孔を空け、線条材をプレート材の周縁部に切り込んだスリットから孔の内部に入れ込めるようにして係合させるようにしてもよい。
【符号の説明】
【００３７】
１      シート（乗物用シート）
２      シートバック
３      シートクッション
３Ｐ    クッションパッド（シートパッド）
３Ｐ１  裏面材（面状材）
３Ｃ    クッションカバー
１０    プレート材
１０Ａ  縫合部
１１    長孔
２０    クリップ
２１    結束部
２１Ａ  結束片
２２    結合部
２２Ａ  係合爪
２２Ｂ  スタビライザー
ＷＨ    ワイヤーハーネス（線条材）
【図１】
2014113969.tif 000003
【図２】
2014113969.tif 000004
【図３】
2014113969.tif 000005
【図４】
2014113969.tif 000006
【図５】
2014113969.tif 000007